(57)【特許請求の範囲】
【請求項１】
フランジ部を有し、内視鏡の管路の入口部に配される口金と、洗浄装置とを接続し、洗浄装置から前記内視鏡の前記管路内に洗浄液を供給する洗浄アダプタであって、
略円柱状の支持部と、この支持部の一端面に配され、前記口金の内側に着脱可能に水密に連結される接続筒部と、前記支持部に配され、前記洗浄装置に連結される供給筒部とを有し、前記接続筒部は前記支持部の中心軸に対して偏心して取り付けられ、前記支持部は前記接続筒部と前記供給筒部とを連通する通路を有するアダプタ本体と、
前記支持部を回転自在に且つ前記中心軸の方向で移動自在に保持する保持筒と、
前記保持筒の一端に取り付けられ、前記接続筒部に向けて前記口金が挿入可能な開口を有するロック部材と、
前記アダプタ本体と前記保持筒との間に設けられ、前記保持筒に対して前記アダプタ本体を前記接続筒部側に向けて付勢する付勢部材と、
前記ロック部材の開口に設けられ、前記保持筒と前記アダプタ本体との相対回転により、前記口金のフランジに係止する係止位置と、前記係止を解除する係止解除位置とに変位する係止部と、
を備えることを特徴とする内視鏡用洗浄アダプタ。
【請求項２】
前記アダプタ本体は、前記保持筒の他端を覆う天板部を有し、
前記天板部と前記保持筒との間に、前記係止位置で回転を規制する係止位置回転規制機構を有することを特徴とする請求項１記載の内視鏡用洗浄アダプタ。
【請求項３】
前記係止位置回転規制機構は、前記天板部及び前記保持筒の一方に設けられる係止孔と、前記天板部及び前記保持筒の他方に設けられ、前記係止孔に進入した状態では前記天板部及び前記保持筒の回転を規制し、前記係止孔から脱した状態では前記天板部と前記保持筒との間に隙間を形成する高さを有する規制突起とを有し、
前記隙間の高さは、前記口金に前記接続筒部が挿入された時に前記係止部が前記フランジに係止可能な高さであることを特徴とする請求項２記載の内視鏡用洗浄アダプタ。
【請求項４】
前記保持筒は、前記保持筒の回転軸に対して半径方向に突出する取手を有し、
前記天板部は前記保持筒の回転軸に対して半径方向に突出し、前記取手をカバーする取手カバーを有し、
前記取手及び前記取手カバーが前記係止位置の時に重なりあうことを特徴とする請求項３記載の内視鏡用洗浄アダプタ。
【請求項５】
前記天板部と保持筒との間に、前記アダプタ本体と前記保持筒との相対回転角度を規制する回転角度規制機構を有することを特徴とする請求項４記載の内視鏡用洗浄アダプタ。
【請求項６】
前記回転角度規制機構は、前記天板部及び前記保持筒の一方に設けられ、前記保持筒の中心軸を中心とする円弧状溝と、前記天板部及び前記保持筒の他方に設けられ、前記円弧状溝に入る係止突起とを有することを特徴とする請求項５記載の内視鏡用洗浄アダプタ。
【請求項７】
前記円弧状溝の円弧角度は１８０度であり、前記係止位置回転規制機構が係止位置状態で、前記円弧状溝の周方向中心に前記係止突起が位置することを特徴とする請求項６記載の内視鏡用洗浄アダプタ。
【請求項８】
前記供給筒部は、前記支持部の他端面に配され、前記通路は前記接続筒部と前記供給筒部を結ぶ直線状に形成されている請求項４から７いずれか１項記載の内視鏡用洗浄アダプタ。
【発明の詳細な説明】
【技術分野】
【０００１】
本発明は、内視鏡を洗浄する際、内視鏡と洗浄装置を接続する内視鏡用洗浄アダプタに関するものである。
【背景技術】
【０００２】
内視鏡は、体内の状態を観察したり、体内の病変部の組織細胞を採取したりする際に用いられる。内視鏡の内部には、処置具挿通チャンネルや、送ガス管路、送水管路、吸引管路などが設けられている。これらチャンネルや管路は、挿入部の先端に開口している。
【０００３】
内視鏡の使用によって、挿入部に体液や汚物などが付着し汚染される。また、先端の各種開口からチャンネルや管路内に体液や汚物などが侵入し、内部が汚染されることがある。このため内視鏡は使用する毎に洗浄される。この時、チャンネルや各管路などの内部も洗浄される。特に、処置具挿通チャンネルは、鉗子その他の処置具が挿入されて体内組織が取り出されたりするので、極端に汚染されることになる。洗浄に際しては、洗浄アダプタを用いて、チャンネルや各管路を洗浄装置に着脱自在に接続し、洗浄液を送るようにしている。
【０００４】
例えば処置具挿通チャンネル用の洗浄アダプタでは、ゴムなどの弾性部材を用いて口金のフランジ部を乗り越えてフランジ部に弾性部材を係止させることにより取り付けている。このように弾性部材によりフランジ部を乗り越えて着脱自在に係止させる洗浄アダプタでは、外力で簡単に外れてしまうことがある。
【０００５】
また、特許文献１及び特許文献２に記載されているように、脱落防止のために係止爪を用いてフランジ部に係止させることも行われている。係止爪を有するものでは、上記の弾性部材によるものに比べて、係止爪によって確実な接続が行え、外力などにより簡単に外れることは無くなる。
【先行技術文献】
【特許文献】
【０００６】
【特許文献１】特開２００６−１４９５５６号公報
【特許文献２】特開２００９−１９５４００号公報
【発明の概要】
【発明が解決しようとする課題】
【０００７】
しかし、特許文献１及び特許文献２のように、係止爪を用いるものでは、接続操作の他に、係止爪を係止したり、係止解除したりする別な操作が必要になる。この係止爪による係止操作は、接続操作とは異なる操作となるため、その分だけ手間が掛かる。また、係止機構が複雑になって製造に手間を要する外に、係止爪の可動動作や可動領域などの点で耐久性に問題がある。
【０００８】
本発明は上記事情を考慮してなされたもので、洗浄中に脱落することがなく、装着が簡単に行え、しかも耐久性を向上させることができる洗浄アダプタを提供する。
【課題を解決するための手段】
【０００９】
上記目的を達成するために、本発明の内視鏡用洗浄アダプタは、フランジ部を有し、内視鏡の管路の入口部に配される口金と、洗浄装置とを接続し、洗浄装置から内視鏡に洗浄液を供給する。この洗浄アダプタは、アダプタ本体と、保持筒と、ロック部材と、付勢部材と、係止部とを備える。アダプタ本体は、略円柱状の支持部と、この支持部の一端面に配される接続筒部と、支持部の他端面に配される供給筒部と、接続筒部と供給筒部とを連通する通路を有する。接続筒部は支持部の中心軸に対して偏心して取り付けられる。保持筒は、支持部を回転自在に且つ中心軸方向で移動自在に保持する。ロック部材は、保持筒の一端に取り付けられ、接続筒部に向けて口金が挿入可能な開口を有する。付勢部材は、アダプタ本体と保持筒との間に設けられ、保持筒に対してアダプタ本体を接続筒部側に向けて付勢する。係止部は、ロック部材の開口に設けられる。この係止部は、保持筒とアダプタ本体との相対回転により、口金のフランジ部に係止する係止位置と、係止を解除する係止解除位置とに変位する。
【００１０】
なお、アダプタ本体は、保持筒の他端を覆う天板部を有し、この天板部と保持筒との間に係止位置回転規制機構を有することが好ましい。係止位置回転規制機構は、係止位置でアダプタ本体の回転を規制する。この場合には、係止位置回転規制によって係止位置が保持されて回転することがなく、係止部によるフランジ部の係止状態が確実に保持される。
【００１１】
係止位置回転規制機構は、天板部及び保持筒の一方に設けられる係止孔と、天板部及び保持筒の他方に設けられる規制突起を有することが好ましい。規制突起は、係止孔に進入した状態では天板部及び前記保持筒の回転を規制し、係止孔から脱した状態では天板部と保持筒との間に隙間を形成する高さを有する。この場合には、係止と係止解除に連動させて、保持筒に対し支持部をその軸方向に変位させることができ、係止解除位置でフランジ部を開放することができる。
【００１２】
保持筒は、保持筒の回転軸に対して半径方向に突出する取手を有し、天板部は保持筒の回転軸に対して半径方向に突出し、取手をカバーする取手カバーを有することが好ましい。これら取手及び取手カバーは係止位置のときに重なりあう。この場合には、口金に接続筒部を挿入して、取手と取手カバーとが重なり合うようにこれら取手と取手カバーとを指で挟んで両者を重ね合わせることにより、口金と洗浄アダプタとのロックを簡単に行うことができる。特に、口金と接続筒部との接続操作の他に、係止爪の開閉操作やスライド操作などが不要になり、接続操作の後に取手と取手カバーとを単に摘んで重ね合わせる簡単な操作だけで、口金と接続筒部との接続状態を簡単にロックすることができる。
【００１３】
天板部と保持筒との間に、回転角度規制機構を有することが好ましい。この回転角度規制機構は、アダプタ本体と保持筒との相対回転角度を規制する。この場合には、回転角度規制機構によって、相対回転角度を規制することができ、取手と取手カバーとのロック解除状態での取付角度を任意の摘みやすい角度に設定することができる。
【００１４】
回転角度規制機構は、天板部及び保持筒の一方に設けられ、保持筒の中心軸を中心とする円弧状溝と、天板部及び保持筒の他方に設けられ、円弧状溝に入る係止突起とを有することが好ましい。円弧状溝の円弧角度は１８０度であり、係止位置回転規制機構が係止位置状態で、円弧状溝の周方向中心に係止突起が位置することが好ましい。この場合には、取手と取手カバーとのロック解除状態での取付角度を９０度に設定することができ、取手と取手カバーとが摘み易くなる他に、係止部による係止と、係止解除とを確実に切り替えることができる。また、供給筒部は支持部の他端面に配され、通路は接続筒部と供給筒部を結ぶ直線状に形成されていることが好ましい。
【発明の効果】
【００１５】
本発明によれば、アダプタ本体の支持部を保持筒により回転自在に保持し、支持部には、支持部の中心軸に対して偏心した位置で接続筒部を取り付け、接続筒部に口金が挿入される時のロック部材の開口に係止部を設け、保持筒とアダプタ本体との相対回転により、係止部を口金のフランジ部に係止する係止位置と、係止を解除する係止解除位置とに変位可能にすることにより、アダプタ本体と保持筒との相対回転によって、洗浄アダプタを口金に着脱自在に取り付けることができる。また、回転運動のみによって係止位置と係止解除位置に切り替えるため、取り付けや取外しが簡単に行える外に、構成が簡単になる。しかも、相対回転で係止部の位置を切り替えるため、従来のように係止爪の開閉揺動や水平移動を行う必要がなく、無理な力が作用することがなくなり、耐久性が向上する。
【図面の簡単な説明】
【００１６】
【図１】本発明の洗浄アダプタの一例を用いた内視鏡洗浄装置の平面図である。
【図２】同洗浄アダプタを分解して示す斜視図である。
【図３】ロック部材の底面図である。
【図４Ａ】ロック状態の洗浄アダプタを示す斜視図である。
【図４Ｂ】ロック解除状態の洗浄アダプタを示す斜視図である。
【図４Ｃ】別のロック解除状態の洗浄アダプタを示す斜視図である。
【図５Ａ】図４Ａの VＡ− VＡ線に沿う断面図である。
【図５Ｂ】図４Ｂの VＢ− VＢ線に沿う断面図である。
【図５Ｃ】図４Ｃの VＣ− VＣ線に沿う断面図である。
【図６Ａ】図５ＡのVIＡ−VIＡ線に沿う断面図である。
【図６Ｂ】図５ＢのVIＢ−VIＢ線に沿う断面図である。
【図６Ｃ】図５ＣのVIＣ−VIＣ線に沿う断面図である。
【発明を実施するための形態】
【００１７】
図１において、本発明の内視鏡用洗浄アダプタ２が装着される内視鏡１０は、先端部１１Ａに超小型撮像ユニットを搭載した電子内視鏡である。内視鏡１０は、長尺状の挿入部１１と操作部１２とユニバーサルコード１３とを備える。挿入部１１は、体腔例えば大腸等の消化管内に挿入される。操作部１２は、挿入部１１の基端側が接続されており、内視鏡１０の把持及び挿入部１１の各種操作に用いられる。
【００１８】
ユニバーサルコード１３は、内視鏡１０を図示しないプロセッサや光源装置に接続する。ユニバーサルコード１３の他端には、コネクタ１４，１５が設けられている。コネクタ１４はプロセサに接続され、コネクタ１５は光源装置に接続される。プロセッサに接続されるコネクタ１４には、電気的な導通を得るための接点部が設けられている。このため、洗浄の際には防水キャップが取り付けられる。
【００１９】
プロセサは、撮像ユニットからの撮像信号を処理し、ディスプレイに撮像した画像を表示する。光源装置は、内視鏡１０に内挿されたライトガイド１６に、照明光を入射する。ライトガイド１６の先端は挿入部１１の先端の照明窓に位置している。ライトガイド１６の先端から出射された照明光は体腔内の観察部位を照明する。
【００２０】
コネクタ１５の端面からは、ライトガイド１６と送気コネクタ１７の端部が一部突出して露呈されている。送気コネクタ１７は、挿入部１１及びユニバーサルコード１３の内部に配設された送気・送水チュープに連通している。光源装置には、送気ポンプから供給される圧縮空気の供給口が設けられている。そして、コネクタ１５が接続されると、送気コネクタ１７の端部と供給口が接続される。コネクタ１５の側面には、送水コネクタ１８、吸引コネクタ１９などが設けられている。
【００２１】
内視鏡１０には、処置具挿通チャンネルや、吸引チューブ、送気・送水チューブなどの管路が設けられている。処置具挿通チャンネルは、操作部１２に設けられた処置具入口２４から、挿入部１１の先端部１１Ａに設けられた処置具出口まで延びている。吸引チューブは、処置具出口から処置具入口２４に向けて、分岐点までが処置具挿通チャンネルと共用しており、分岐点から操作部１２に設けられた吸引制御弁を介して吸引コネクタ１９へ延びている。吸引コネクタ１９には、図示しない吸引タンクが接続される。
【００２２】
送気・送水チューブは、一端が挿入部１１の先端に設けられた送気・送水ノズルに接続されており、送気・送水ノズルの基端側で送気チューブと送水チューブに分岐している。送気チューブと送水チューブは、操作部１２に設けられた送気・送水制御弁を介してそれぞれ送気コネクタ１７及び送水コネクタ１８へ延びている。送気コネクタ１７及び送水コネクタ１８は、送気タンク及び送水タンクがそれぞれ接続される。なお、洗浄消毒の際には、キャップによって送水コネクタ１８は水密に塞がれる。
【００２３】
以上のように構成される内視鏡１０は、特に、処置具挿通チャンネルを洗浄するために、処置具入口２４に設けられた口金２４Ａ（図５Ａ参照）のフランジ部２４ＡＦ（図５Ａ参照）に洗浄アダプタ２が装着される。
【００２４】
内視鏡１０には、洗浄アダプタ２を介して内視鏡洗浄装置３０が接続される。洗浄装置３０は、箱状の装置本体３１を備えている。装置本体３１の上部には、使用後の内視鏡１０を収容し、洗浄液や消毒液が供給される洗浄槽３２が設けられている。洗浄槽３２は、上部が開放された水槽であり、例えばステンレス等の耐熱性、耐蝕性等に優れた金属材料で形成されている。装置本体３１には、洗浄槽３２の開口部を覆う蓋（図示せず）が設けられている。また、装置本体３１は、洗浄槽３２や蓋の他、操作パネル３３、洗浄液や消毒液を洗浄槽３２に供給するための配管、ポンプ、電磁弁、洗剤や消毒液を貯留するタンク（図示せず）などを備える。
【００２５】
洗浄槽３２の内周形状は、上方から見ると、前方部分が略円形で、後方部分が略方形をしている。前方部分の中央には、小物洗浄かご３４が配置されている。小物洗浄かご３４は、内視鏡１０から取り外された弁部材、操作ボタンなどの小物部品を収容する。内視鏡１０は、挿入部１１及びユニバーサルコード１３が巻き回された状態で、小物洗浄かご３４の周囲を取り囲むようにして、洗浄槽３２上に載置される。
【００２６】
洗浄槽３２の後方部分には、洗浄槽３２の底面よりも一段高いテラス部３２Ａ，３２Ｂが設けられている。テラス部３２Ｂには洗浄ポート４０が設けられている。洗浄ポート４０は、複数のポート４０Ａ〜４０Ｄを有する。これらポート４０Ａ〜４０Ｄは、処置具挿通チャンネル、吸引チューブ、送気・送水チューブに接続され、洗浄液、消毒液、アルコール、圧縮空気といった流体を供給する。これら流体により、チャンネルや各チューブ内の洗浄や消毒が行われる。
【００２７】
ポート４０Ａは、洗浄アダプタ２及びチューブ４３を介して処置具挿通チャンネルに接続され、処置具挿通チャンネルに流体を供給する。ポート４０Ｂ，４０Ｃは、チューブ４１，４２を介して吸引チューブや送気・送水チューブに流体を供給する。ポート４０Ｄは予備用である。これらポート４０Ａ〜４０Ｄから供給された流体は、処置具挿通チャンネル，吸引チューブ，送気・送水チューブの全域を通過する。
【００２８】
図２に示すように、洗浄アダプタ２は、アダプタ本体５２と、保持筒５３と、ロック部材５４と、コイルバネ（付勢部材）６６と、係止部７１（図３参照）とを備える。アダプタ本体５２は、天板部５６の底面に支持部５７を一体成形したもので、最下面には接続筒部５８が突出している。この接続筒部５８は内視鏡の処置具入口２４にある口金２４Ａ（図５Ａ参照）に挿入される。接続筒部５８の外周には周溝５６Ｅが形成されており、周溝５６ＥにはＯリング５９が嵌められている。このＯリング５９により、口金２４Ａの内壁と接続筒部５８の外周面とを水密にして、口金２４Ａ内に接続筒部５８が挿入される。
【００２９】
図５Ａに示すように、アダプタ本体５２には、連通孔５２Ａが形成されている。この連通孔５２Ａは、接続筒部５８から、支持部５７の内部を通って天板部５６の開口５６Ａに達するように、直線状に形成されている。開口５６Ａには供給筒部６０が取り付けられている。この供給筒部６０には、図１に示すように洗浄装置３０の給水チューブ４３が接続される。図２に示すように、連通孔５２Ａの中心軸Ｓ１は、支持部５７の中心軸Ｓ２に対し偏心している。なお、図２において、支持部５７の中心軸は保持筒５３の中心軸Ｓ２と同じになるように組み立てられる。このため支持部５７の中心軸の図示は省略し、保持筒５３の中心軸Ｓ２を支持部５７の中心軸として説明している。
【００３０】
図２に示すように、保持筒５３は、段付き円筒状に形成されており、中央部に支持部挿通孔５３Ａを有する。保持筒５３の下端部外周面５３Ｅは、鉛直方向中央部で段部により、上端部の外周面５３Ｇよりも直径が小さく形成されている。この下端部外周面５３Ｅには、ロック部材５４が取り付けられる。
【００３１】
ロック部材５４は、筒部５４Ｂと底板部５４Ａとを有する有底円筒状に形成されている。筒部５４Ｂの内周面５４Ｃには、保持筒５３の下端部外周面５３Ｅが嵌合する。そして、ロック部材５４の周方向に例えば１８０度間隔で２個のビス孔６１が形成されている。このビス孔６１に取付ビス６８が取り付けられる。取付ビス６８は、ロック部材５４を保持筒５３に固定する。図３に示すように、底板部５４Ａには、口金２４Ａのフランジ部２４ＡＦ（図５Ａ参照）が挿入可能なフランジ部挿入開口８０が形成されている。
【００３２】
支持部挿通孔５３Ａは、支持部５７の外径よりもわずかに大きい内径で形成されている。図５Ａに示すように、支持部挿通孔５３Ａの下方には、コイルバネ収納溝５３Ｆが段差を介して連続する。
【００３３】
図２に示すように、保持筒５３は、上面に、クリックピン収納穴５３Ｂと、円弧溝５３Ｃとを有する。クリックピン収納穴５３Ｂにはクリックピン６２が取り付けられる。また、円弧溝５３Ｃは、支持部挿通孔５３Ａの中心軸Ｓ２を中心とする１８０度の円弧を中心線とする円弧状に形成されている。この円弧溝５３Ｃには、規制ピン６３が入り込む。規制ピン６３は、アダプタ本体５２の天板部５６の下面に取り付けられ、下方に向けて突出する。この規制ピン６３と円弧溝５３Ｃとにより、回転角度規制機構７０が構成される。
【００３４】
保持筒５３は、上部外周面に取手５３Ｄを有する。取手５３Ｄは、円弧溝５３Ｃの周方向中央点Ｐ１と支持部挿通孔５３Ａの中心軸Ｓ２とを結んだ延長線ＣＬ１上で、保持筒５３の半径方向に延びるように形成されている。クリックピン収納穴５３Ｂは、取手５３Ｄと支持部挿通孔５３Ａとの間に形成されている。
【００３５】
アダプタ本体５２は、天板部５６に取手カバー５６Ｂを有する。この取手カバー５６Ｂは、天板部５６上において、連通孔５２Ａの中心軸Ｓ１と支持部５７の中心軸Ｓ２とを結んだ延長線ＣＬ２の方向に延びるように形成されている。
【００３６】
また、天板部５６はクリック孔５６Ｃと規制ピン取付孔５６Ｄとを有する。クリック孔５６Ｃは、延長線ＣＬ２上で、取手カバー５６Ｂ側に形成されている。また、規制ピン取付孔５６Ｄは、延長線ＣＬ２上で、取手カバー５６Ｂとは反対側に形成されている。クリック孔５６Ｃには、保持筒５３のクリックピン６２の半球状の上端部が入り込んで、これに係止する。これらクリックピン６２とクリック孔５６Ｃとにより、図５Ａに示すように、係止位置回転規制機構６９が構成される。
【００３７】
図４Ａに示すように、取手カバー５６Ｂは、取手５３Ｄに対して少し大きなサイズで形成されており、これらが重なり合った時には、取手カバー５６Ｂによって取手５３Ｄが覆われる。このように取手５３Ｄが取手カバー５６Ｂの真下に移動して重なった時には、クリックピン６２がクリック孔５６Ｃに係止し、この重なり合った状態が保持される。
【００３８】
図５Ａに示すように、アダプタ本体５２の支持部５７の外周面には、コイルバネ６６とバネ固定リング６７とが取り付けられる。これらの取り付けは、アダプタ本体５２に保持筒５３とロック部材５４とを組み付けた後に行われる。コイルバネ６６は、保持筒５３のコイルバネ収納溝５３Ｆに配される。また、コイルバネ固定リング６７は、支持部５７の下端部に雌ねじと雄ねじとの螺合などにより固着される。この組み付けによって、コイルバネ６６の上端部は、保持筒５３の上端部に当接し、コイルバネ６６の下端部はコイルバネ固定リング６７に当接する。そして、コイルバネ６６が保持筒５３とアダプタ本体５２との間で縮装される。したがって、このコイルバネ６６によって、アダプタ本体５２が保持筒５３内で、接続筒部５８側に向けて付勢される。
【００３９】
図４Ａに示すように、取手５３Ｄに取手カバー５６Ｂが重なった状態では、図５Ａに示すように、クリック孔５６Ｃにクリックピン６２が入り込むため、天板部５６の下面がロック部材５４の上面に接触した状態になる。図４Ｂ，図４Ｃに示すように、取手５３Ｄに対して取手カバー５６Ｂが９０度回転した状態では、クリックピン６２がクリック孔５６Ｃから離脱し、クリックピン６２の頂部６２Ａが天板部５６の下面に接触した状態になる。この状態では、保持筒５３の上端面からのクリックピン６２の頂部突出量だけ、ロック部材５４に対して、アダプタ本体５２が上方に持ち上げられる。したがって、ロック部材５４の底板部５４Ａの上面と支持部５７の下面との間に、頂部突出量分の隙間が生じる。
【００４０】
頂部突出量分の隙間は、口金２４Ａのフランジ部２４ＡＦの厚みよりも大きく設定されている。このため、口金２４Ａ内に接続筒部５８が挿入されると、フランジ部２４ＡＦの下面は底板部５４Ａの上面よりも上方に位置する。
【００４１】
図３に示すように、フランジ部挿入開口８０は、支持部５７の外径と略等しい内径の円弧８０Ａと、その両端を結ぶ弦８０Ｂとを有するＤ字状に形成されている。弦８０Ｂは、図４Ａに示すように、取手５３Ｄと取手カバー５６Ｂとが重なりあった状態では、図６Ａに示すように底面から見た時に、接続筒部５８の先端部分の外周円に対して口金２４Ａの厚み距離程度まで弦８０Ｂが近接する位置になっている。この弦８０Ｂが近接した位置では、図５Ｂに示すように、フランジ部２４ＡＦの一部が、底板部５４Ａと支持部５７の下面とで挟持された状態となる。しかも、係止部７１によってフランジ部２４ＡＦの一部が係止した状態になる。この係止状態で洗浄アダプタ２が口金２４Ａを中心に回転したとしても、図６Ａに示す係止状態が変化することはなく、係止状態が維持される。したがって、洗浄中に洗浄液が送られて洗浄アダプタ２内の圧力が上がっても、口金２４Ａから洗浄アダプタ２が外れてしまうことが無くなる。
【００４２】
また、図４Ｂ，図４Ｃに示すように、取手５３Ｄに対して取手カバー５６Ｂが９０度ずれた回転位置の状態では、図６Ｂ，図６Ｃに示すように、図６Ａの状態に対して、弦８０Ｂが９０度回転する。この状態では、接続筒部５８の中心軸Ｓ１に対して、ロック部材５４の中心軸Ｓ２は偏心量ＯＳ１分だけ偏心しているので、弦８０Ｂが９０度回転すると、口金２４Ａのフランジ部２４ＡＦがフランジ部挿入開口８０から露出することになる。したがって、口金２４Ａへ接続筒部５８を挿入する時や、口金２４Ａから接続筒部５８を取り出す時に、底板部５４Ａが挿入や取り出しの障害物となることはない。
【００４３】
次に、本発明の作用を説明する。図１に示すように、内視鏡の洗浄に際しては、洗浄槽３２に内視鏡１０がセットされる。そして、洗浄ポート４０に対して、チューブ４１〜４３を用いて、内視鏡１０のチャンネルや開口が洗浄装置３０に接続される。処置具入口２４には、洗浄アダプタ２が取り付けられる。
【００４４】
洗浄アダプタ２の口金２４Ａへの装着は以下のようにして行う。図４Ａ及び図４Ｂは保持筒５３に対してアダプタ本体５２が係止解除位置となっている。この係止解除位置では、図５Ｂ，図６Ｂ、図５Ｃ，図６Ｂに示すように、フランジ部挿入開口８０の係止部７１が、口金２４Ａのフランジ部２４ＡＦの挿入を妨げることがない。したがって、この係止解除位置で、接続筒部５８を口金２４Ａ内に挿入する。挿入後に、取手５３Ｄと取手カバー５６Ｂとを指で摘んで両者が重なるように、アダプタ本体５２及び保持筒５３を相対回転させる。これにより、図４Ａの状態に変化する。この状態では、図６Ａに示すように、係止部７１がフランジ部２４ＡＦの一部を覆う。
【００４５】
この状態では、図５Ａに示すように、クリック孔５６Ｃ内にクリックピン６２が入り込んだ係止位置となる。このため、コイルバネ６６の付勢により、天板部５６の下端面が保持筒５３の上端面に密着した状態になり、接続筒部５８が保持筒５３内で最も下方に位置する。これにより、口金２４Ａのフランジ部２４ＡＦが、ロック部材５４の底板部５４Ａからなる係止部７１と、アダプタ本体５２の下端面との間で挟持される。そして、口金２４Ａ内には接続筒部５８が水密に挿入された状態になっている。したがって、洗浄アダプタ２が口金２４Ａの回りを回転したとしても、係止部７１がフランジ部２４ＡＦの一部を押さえている状態は変化することがない。このため、口金２４Ａから洗浄アダプタ２が脱落することはなく、洗浄アダプタ２が口金２４Ａから外れることがないロック状態になる。
【００４６】
内視鏡１０の洗浄が終了すると、各洗浄ポート４０のチューブ４１〜４３が取り外される。この時に、取手５３Ｄと取手カバー５６Ｂとの一方または両方をずらすように相対回転させると、図４Ｂに示すように、取手カバー５６Ｂに対して取手５３Ｄが時計方向に９０度回転して、洗浄アダプタ２がロック解除状態になる。同様にして、取手カバー５６Ｂに対して取手５３Ｄが反時計方向に９０度回転して、洗浄アダプタ２がロック解除状態になる。このとき、円弧溝５３Ｃと規制ピン６３とを有する回転角度規制機構７０によって、９０度回転した状態でその回転が規制される。
【００４７】
ロック解除状態では、図５Ｂや図５Ｃに示すように、クリックピン６２がクリック孔５６Ｃから脱けて、その頂部６２Ａが天板部５６に接触した状態になる。これにより、アダプタ本体５２は保持筒５３に対して、コイルバネ６６の付勢に抗して、上方に変位する。この変位によって、アダプタ本体５２の下面とロック部材５４の底板部５４Ａとの間には隙間が生じて、アダプタ本体５２とロック部材５４とによるフランジ部２４ＡＦの挟持が開放される。
【００４８】
このロック解除状態では、図６Ｂや図６Ｃに示すように、係止部７１が９０度回転することにより、係止部７１がフランジ部２４ＡＦから離れた位置関係になる。これにより、フランジ部２４ＡＦが底板部５４Ａの開口８０から全部が露出した状態になり、接続筒部５８から口金２４Ａを抜き出すことができる。また、洗浄アダプタ２を取り付ける場合には、接続筒部５８に口金２４Ａを挿入することができる。
【００４９】
なお、上記実施形態では、処置具挿通チャンネル用の洗浄アダプタ２を例にとって説明したが、本発明は、吸引チューブ、送気・送水チューブなどの管路を洗浄するために、口金のフランジ部に相当する箇所に装着される他の管路用の洗浄アダプタに実施しても良い。
【００５０】
上記実施形態では、フランジ部挿入開口８０の円弧８０Ａに対して弦８０Ｂを用いて、円弧８０Ａの延長線と弦８０Ｂとにより囲まれる部分を係止部７１としているが、係止部７１はこれに限定されることなく、例えばアダプタ本体５２と保持筒５３との相対回転角度によって、フランジ部２４ＡＦを係止または係止解除することができるものであればよく、係止部７１の形状は特に限定されるものではない。
【００５１】
上記実施形態では、供給筒部６０を天板部５６に設けたが、供給筒部６０はその他の位置、例えば支持部５７の外周面に形成してもよい。また、係止位置回転規制機構６９のクリックピン６２を保持筒５３側に、クリック孔５６Ｃを天板部５６側に設けたが、これらは逆にして、クリックピン６２を天板部５６側に、クリック孔５６Ｃを保持筒５３側に設けてもよい。同様に、回転角度規制機構７０の円弧溝５３Ｃを保持筒５３側に、規制ピン６３を天板部５６側に設けたが、これらは逆にして設けてもよい。
【符号の説明】
【００５２】
２    洗浄アダプタ
１０    内視鏡
２４    処置具入口
２４Ａ  口金
２４ＡＦ  フランジ部
５２    アダプタ本体
５３    保持筒
５４    ロック部材
５４Ｂ  底板部
５６    天板部
５７    支持部
５８    接続筒部
６０    供給筒部
６２    クリックピン
６６    コイルバネ
６７    リング
６９    係止位置回転規制機構
７０    回転角度規制機構
７１    係止部
８０    開口
８０Ａ  円弧
８０Ｂ  弦
【図１】
0005497138.tif 000002
【図２】
0005497138.tif 000003
【図３】
0005497138.tif 000004
【図４Ａ】
0005497138.tif 000005
【図４Ｂ】
0005497138.tif 000006
【図４Ｃ】
0005497138.tif 000007
【図５Ａ】
0005497138.tif 000008
【図５Ｂ】
0005497138.tif 000009
【図５Ｃ】
0005497138.tif 000010
【図６Ａ】
0005497138.tif 000011
【図６Ｂ】
0005497138.tif 000012
【図６Ｃ】
0005497138.tif 000013